【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】
ヒトおよび動物の結合組織の治療および修復並びに炎症軽減のための組成物であって、
グルコサミン、グルコサミン塩およびそれらの混合物からなる群から選択されるアミノ糖と、Ｓ-アデノシルメチオニン、並びにコンドロイチン、コンドロイチン塩およびそれらの混合物からなる群から選択されるグリコサミノグリカンと、を組み合わせて含む組成物。
【請求項２】
アミノ糖の用量が、約５０ｍｇ〜約４０，０００ｍｇの範囲である、請求項１に記載の組成物。
【請求項３】
ヒトおよび小型動物のためのアミノ糖の用量が、約５０ｍｇ〜約５，０００ｍｇの範囲である、請求項２に記載の組成物。
【請求項４】
大型動物のためのアミノ糖の用量が、約２５０ｍｇ〜約４０，０００ｍｇの範囲である、請求項２に記載の組成物。
【請求項５】
グリコサミノグリカンの用量が、１５ｍｇ〜約３０，０００ｍｇの範囲である、請求項１に記載の組成物。
【請求項６】
ヒトおよび小型動物のためのグリコサミノグリカンの用量が、約１５ｍｇ〜約５，０００ｍｇの範囲である、請求項５に記載の組成物。
【請求項７】
大型動物のためのグリコサミノグリカンの用量が、約１００ｍｇ〜約３０，０００ｍｇの範囲である、請求項５に記載の組成物。
【請求項８】
Ｓ-アデノシルメチオニンの用量が、約２ｍｇ〜２０，０００ｍｇの範囲である、請求項１に記載の組成物。
【請求項９】
ヒトおよび小型動物のためのＳ-アデノシルメチオニンの用量が、約５ｍｇ〜５，０００ｍｇの範囲である、請求項８に記載の組成物。
【請求項１０】
大型動物のためのＳ-アデノシルメチオニンの用量が約２ｍｇ〜約２０，０００ｍｇの範囲である、請求項８に記載の組成物。
【請求項１１】
前記グルコサミンの塩が、塩酸グルコサミン、硫酸グルコサミンおよびＮ−アセチルグルコサミンからなる群から選択される、請求項１に記載の組成物。
【請求項１２】
ヒトおよび動物に、請求項１乃至１１の組成物のいずれか一つを投与するステップを含む、ヒトおよび動物の結合組織の治療および修復並びに炎症軽減のための方法。
【請求項１３】
グルコサミン、グルコサミン塩およびそれらの混合物からなる群から選択されるアミノ糖と、Ｓ-アデノシルメチオニン、並びにコンドロイチン、コンドロイチン塩およびそれらの混合物からなる群から選択されるグリコサミノグリカンと、を組み合わせて含む、ヒトおよび動物の結合組織の治療および修復並びに炎症軽減のための組成物であって、アミノ糖の用量が、約５０ｍｇ〜約４０，０００ｍｇの範囲であり、グリコサミノグリカンの用量が、約１５ｍｇ〜約３０，０００ｍｇの範囲であり、Ｓ-アデノシルメチオニンの用量が、約５ｍｇ〜約４０，０００ｍｇの範囲である組成物。
【請求項１４】
Ｓ-アデノシルメチオニンと、コンドロイチン、コンドロイチン塩およびそれらの混合物からなる群から選択されるグリコサミノグリカンの断片と、を組み合わせて含む、ヒトおよび動物の結合組織の治療および修復並びに炎症軽減のための組成物。
【請求項１５】
グリコサミノグリカンの断片の用量が、約１５ｍｇ〜約３０，０００ｍｇの範囲である、請求項１４に記載の組成物。
【請求項１６】
ヒトおよび小型動物のためのグリコサミノグリカンの断片の用量が、約１５ｍｇ〜約５，０００ｍｇの範囲である、請求項１４に記載の組成物。
【請求項１７】
大型動物のためのグリコサミノグリカンの断片の用量が、約１００ｍｇ〜約３０，０００ｍｇの範囲である、請求項１４に記載の組成物。
【請求項１８】
Ｓ-アデノシルメチオニンの用量が、約２ｍｇ〜約２０，０００ｍｇの範囲である、請求項１４に記載の組成物。
【請求項１９】
ヒトおよび小型動物のためのＳ-アデノシルメチオニンの用量が、約５ｍｇ〜約５，０００ｍｇの範囲である、請求項１４に記載の組成物。
【請求項２０】
大型動物のためのＳ-アデノシルメチオニンの用量が、約２ｍｇ〜約２０，０００ｍｇの範囲である、請求項１４に記載の組成物。
【請求項２１】
ヒトおよび動物の結合組織の治療および修復並びに炎症軽減のための組成物であって、グルコサミン、グルコサミン塩およびそれらの混合物からなる群から選択されるアミノ糖と、Ｓ-アデノシルメチオニンと、を組み合わせて含む組成物。
【請求項２２】
アミノ糖の用量が、約５０ｍｇ〜約４０，０００ｍｇの範囲であり、Ｓ−アデノシルメチオニンの用量が、約２ｍｇ〜約２０，０００ｍｇの範囲である、請求項２１に記載の組成物。
【請求項２３】
ヒトおよび小型動物のためのアミノ糖の用量が、約５０ｍｇ〜５，０００ｍｇの範囲であり、ヒトおよび小型動物のためのＳ−アデノシルメチオニンの用量が、約５ｍｇ〜約５，０００ｍｇの範囲である、請求項２１の組成物。
【請求項２４】
大型動物のためのアミノ糖の用量が、約２５０ｍｇ〜約４０，０００ｍｇの範囲であり、大型動物のためのＳ−アデノシルメチオニンの用量が、約２ｍｇ〜約２０，０００ｍｇの範囲である、請求項２１に記載の組成物。
【請求項２５】
ヒトおよび動物に、請求項１４乃至２４の組成物のいずれか一つを投与するステップを含む、ヒトおよび動物の結合組織の治療および修復並びに炎症軽減のための方法。
【請求項２６】
前記グルコサミンの塩が、塩酸グルコサミン、硫酸グルコサミンおよびＮ−アセチルグルコサミンからなる群から選択される、請求項２１に記載の組成物。
【請求項２７】
ヒトおよび動物の結合組織の治療および修復並びに炎症軽減のためのキットであって、
Ｓ-アデノシルメチオニンと、
コンドロイチン、コンドロイチン塩並びにそれらの断片および混合物からなる群から選択されるグリコサミノグリカンと、
グルコサミン、グルコサミン塩およびそれらの混合物からなる群から選択されるアミノ糖と、を含むのキット。
【請求項２８】
ヒトおよび動物の結合組織の治療および修復並びに炎症軽減のためのキットであって、
Ｓ-アデノシルメチオニンと、グルコサミン、グルコサミン塩およびそれらの混合物からなる群から選択されるアミノ糖と、を含むキット。
【請求項２９】
前記グルコサミンの塩が、塩酸グルコサミン、硫酸グルコサミンおよびＮ−アセチルグルコサミンからなる群から選択される、請求項２７または２８に記載のキット。
【請求項３０】
ヒトおよび動物の結合組織の治療および修復並びに炎症軽減のためのキットであって、Ｓ-アデノシルメチオニンと、コンドロイチン、コンドロイチン塩並びにそれらの断片および混合物からなる群から選択されるグリコサミノグリカンと、を含むキット。
【請求項３１】
ヒトおよび動物の結合組織の治療および修復並びに炎症軽減のための方法であって、ヒトまたは動物に請求項２７に記載のキットのＳ−アデノシルメチオニン、グリコサミノグリカンおよびアミノ糖を投与するステップを含む方法。
【請求項３２】
ヒトおよび動物の結合組織の治療および修復並びに炎症軽減のための方法であって、ヒトまたは動物に請求項２８に記載のキットのＳ−アデノシルメチオニンおよびアミノ糖を投与するステップを含む方法。
【請求項３３】
ヒトおよび動物の結合組織の治療および修復並びに炎症軽減のための方法であって、ヒトまたは動物に請求項1４に記載のキットのＳ−アデノシルメチオニンおよびグリコサミノグリカンを投与するステップを含む方法。
【請求項３４】
Ｓ−アデノシルメチオニンの用量が、約２ｍｇ〜約２０，０００ｍｇの範囲であり、アミノ糖の用量が、約５０ｍｇ〜４０，０００ｍｇの範囲であり、グリコサミノグリカンの用量が、約１５ｍｇ〜約３０，０００ｍｇの範囲である、請求項２７に記載のキット。
【請求項３５】
Ｓ−アデノシルメチオニンの用量が、約２ｍｇ〜約２０，０００ｍｇの範囲であり、アミノ糖の用量が、約５０ｍｇ〜４０，０００ｍｇの範囲である、請求項２８に記載のキット。
【請求項３６】
Ｓ−アデノシルメチオニンの用量が、約２ｍｇ〜約２０，０００ｍｇの範囲であり、グリコサミノグリカンの用量が、約１５ｍｇ〜約３０，０００ｍｇの範囲である、請求項３０に記載のキット。
【請求項３７】
Ｓ−アデノシルメチオニン、アミノ糖、またはグリコサミノグリカンは、それぞれ経口的、経舌下的、経鼻的、経喉的、経直腸的、経皮的または非経口的に投与される、請求項３１、３２または３３の何れか一項に記載の方法。
【請求項３８】
ヒトおよび動物の結合組織の治療および修復並びに炎症軽減のための方法であって、ヒトまたは動物に、請求項２７、２８または３０のキットのいずれか一つを投与するステップを含む方法。